(57)【特許請求の範囲】
【請求項１】
電話網に接続された主装置と、
内線伝送路を介して前記主装置に接続される複数のボタン電話機とを備え、
前記主装置は、
１のボタン電話機により前記電話網の１の外線を用いた通話が保留にされた状態で、前記１のボタン電話機から他のボタン電話機への内線呼出が行われ、当該他のボタン電話機が当該内線呼出に応答することにより当該１のボタン電話機と当該他のボタン電話機との間で実現される内線通話を録音する録音手段と、
この録音手段により録音された録音データと前記１の外線とを対応付けて記憶する記憶手段と
を備えることを特徴とするボタン電話システム。
【請求項２】
前記主装置は、
前記他のボタン電話機から、保留中の外線と対応付けられた録音データの再生を要求されると、前記録音データを再生した音声データを前記他のボタン電話機に出力する再生手段
をさらに備えることを特徴とする請求項１記載のボタン電話システム。
【請求項３】
前記主装置は、
保留された前記外線が解放されると、前記保留中の外線と対応付けられた録音データを前記記憶手段から消去する消去手段
をさらに備えることを特徴とする請求項１または２記載のボタン電話システム。
【発明の詳細な説明】
【技術分野】
【０００１】
本発明は、ボタン電話システムに関し、特に保留機能を有するボタン電話システムに関するものである。
【背景技術】
【０００２】
一般に、ボタン電話システムは、電話網に接続されている主装置と、この主装置に接続された１台以上のボタン電話機とから構成されている。ボタン電話機では、キー操作やハンドセットの状態を検出し、これらの操作情報を主装置に送信し、主装置では、ボタン電話機からの操作情報に基づき機能処理を行うことにより、電話網を介しての外線通話、他のボタン電話機との内線通話、通話中の外線を保留にする保留動作などの各種機能が実現される。
【０００３】
このようなボタン電話システムにおいて、保留された外線（以下、「保留外線」と呼ぶ。）に応答する場合、ユーザは、保留状態を示す外線ランプにより保留外線を特定し、対応する外線ボタンを押下する。これにより、外線ボタンが押下されたボタン電話機と保留外線との通話パスが接続され、通話が可能となる。このような保留応答動作において、複数の外線が保留されている場合、ユーザは、何れの保留外線に応答すべきかわからなくなることがある。そこで、近年では、保留外線に応答すべきボタン電話機を指定し、この指定されたボタン電話機には応答すべき外線が識別できる表示を行うボタン電話システムが提案されている（例えば、特許文献１参照。）。また、取次元で保留外線の問い合わせに対応できるよう、外線保留したときに取得した外線情報を取次元のボタン電話機に表示するボタン電話システムも提案されている（例えば、特許文献２参照。）。
【０００４】
【特許文献１】特開平５−３１６２２０号公報
【特許文献２】特開２００４−８０４９３号公報
【発明の開示】
【発明が解決しようとする課題】
【０００５】
しかしながら、特許文献１に開示されたボタン電話システムでは、複数のユーザが同じボタン電話機を使用する場合、何れのユーザが保留外線に応答すべきかわからないという事態が生じていた。また、特許文献２に開示されたボタン電話システムでは、どの保留外線に応答すべきかを取次元に確認しなければならず、取次元が不在になってしまうと確認そのものができなかった。
【０００６】
そこで、本願発明は、上述した課題を解消するためになされたものであり、応答すべき保留された外線を容易に確認することができるボタン電話システムを提供することを目的とする。
【課題を解決するための手段】
【０００７】
上述したような課題を解消するために、本発明にかかるボタン電話システムは、電話網に接続された主装置と、内線伝送路を介して主装置に接続される複数のボタン電話機とを備え、主装置は、１のボタン電話機により電話網の１の外線を用いた通話が保留にされた状態で、１のボタン電話機から他のボタン電話機への内線呼出が行われ、当該他のボタン電話機が当該内線呼出に応答することにより当該１のボタン電話機と当該他のボタン電話機との間で実現される内線通話を録音する録音手段と、この録音手段により録音された録音データと１の外線とを対応付けて記憶する記憶手段とを備えることを特徴とする。
【０００８】
上記ボタン電話システムにおいて、主装置は、他のボタン電話機から、保留中の外線と対応付けられた録音データの再生を要求されると、録音データを再生した音声データを他のボタン電話機に出力する再生手段をさらに備えるようにしてもよい。
【０００９】
また、上記ボタン電話システムにおいて、主装置は、保留された外線が解放されると、保留中の外線と対応付けられた録音データを記憶手段から消去する消去手段をさらに備えるようにしてもよい。
【発明の効果】
【００１０】
本発明によれば、１のボタン電話機により保留操作が行われた後、１のボタン電話機から他のボタン電話への内線呼出が行われ、他のボタン電話機が内線呼出に応答することにより１のボタン電話機と他のボタン電話機との間で実現される内線通話を録音することにより、この録音データから応答すべき保留にされた外線を容易に確認することができる。
【発明を実施するための最良の形態】
【００１１】
以下、図面を参照して、本発明の実施の形態について詳細に説明する。図１は、本実施の形態におけるボタン電話システムの構成を示すブロック図である。図１において、ボタン電話システムは、アナログ電話網、ＩＳＤＮ（Integrated Service Digital Network）網、ＩＰ（Internet Protocol）網等からなる電話網１０に接続された主装置１と、内線伝送路２０を介して主装置１に接続された複数のボタン電話機２（２Ａ〜２Ｎ）とから構成される。なお、本実施の形態は、同時に複数の通話が可能なボタン電話システムを想定している。
【００１２】
主装置１は、電話網１０を終端制御する外線Ｉ／Ｆ部１１と、内線伝送路２０を介して接続された各ボタン電話機とデータ伝送を行う内線Ｉ／Ｆ部１２と、外線Ｉ／Ｆ部１１と内線Ｉ／Ｆ部１２との間に設けられ、各種機能処理を行う主制御部１３と、この主制御部１３での処理に必要な情報を記憶する主記憶部１４とを備える。なお、内線伝送路２０としては、有線伝送路を用いてもよく、無線伝送路を用いてもよい。
【００１３】
ここで、主制御部１３は、各ボタン電話機２の動作制御や電話網１０の制御など、一般的なボタン電話システムが持つ機能を提供するための機能処理手段１３ａと、外線が保留された後に内線呼び出しが行われて内線通話が行われると、この内線通話を所定時間録音する録音手段１３ｂと、この録音手段１３ｂによる録音データを再生する再生手段１３ｃと、録音手段１３ｂによる録音データを消去する消去手段１３ｄとが設けられている。なお、録音手段１３ｂによる録音データは、外線ごとに対応付けて主記憶部１４に記憶される。
【００１４】
ボタン電話機２（２Ａ〜２Ｎ）は、それぞれ同様の構成をなしている。これらのボタン電話機２は、内線伝送路２０を介して主装置１とデータ伝送を行う伝送Ｉ／Ｆ部２１と、伝送Ｉ／Ｆ部２１で受信された音声データを音声信号へ復号化してハンドセットＨＳやスピーカＳＰへ出力し、ハンドセットＨＳやマイクＭＩＣから入力された音声信号を音声データへ復号化して伝送Ｉ／Ｆ部２１へ出力する音声処理部２２と、各種キー操作やフック状態を検出する操作入力部２３と、操作入力部２３で検出された操作データを伝送Ｉ／Ｆ部２１を介して主装置１へ送信するとともに、伝送Ｉ／Ｆ部２１で受信された主装置１からの制御データに基づきボタン電話機の各回路部を制御する子機制御部２４と、子機制御部２４での制御処理に必要な各種情報を記憶する制御メモリ２５と、文字、図柄、画像などからなる各種情報を表示するＬＣＤ（Liquid Crystal Display）などの画面表示部２６とを備える。
【００１５】
操作入力部２３は、ユーザによる着信応答や外線捕捉等の操作入力を検出する外線ボタン、ユーザによる通話中の外線の保留や保留外線に応答する保留応答等の操作入力を検出する保留ボタン、ユーザによる内線通話に応答する内線応答等の操作入力を検出する応答ボタン、ユーザによるダイヤル入力を検出するテンキー、ユーザが画面表示部２６に表示される各種情報に基づいて行う選択および決定に関する操作入力を検出するカーソルキー等が設けられている。外線ボタンは、複数設けられており、それぞれに識別番号が付与されている。また、各外線ボタンには、通話状態や保留状態を示す外線ランプが設けられている。このような各種ボタンやキーを有することにより、操作入力部２３は、通話中の外線を保留にする保留動作、保留外線に応答する保留応答動作、録音データを再生する再生動作、内線呼び出しに応答し内線通話を行う内線応答動作等を検出することが可能となる。
【００１６】
なお、本実施の形態において、外線とは、アナログ電話網の場合は回線、ＩＳＤＮ網やＩＰ網の場合はチャネルのことを意味する。したがって、１つの外線は、１つの回線または１つのチャネルを表す。
【００１７】
次に、図２を参照して、本実施の形態にかかるボタン電話システムで内線通話を行う場合の録音動作について説明する。なお、図２では、ボタン電話機２Ａと通話状態にある電話装置（相手先３０）を保留にし、この相手先３０との通話をボタン電話機２Ｂに転送する場合を例に説明する。
【００１８】
ボタン電話機２Ａが電話網１０を介して相手先３０と通話状態にあり（ステップＳ２０１）、この相手先３０との通話を他のボタン電話機に相手先３０を転送する場合、まず、ボタン電話機２Ａのユーザは保留ボタンを押下する。この保留ボタンが押下されたことに関する保留操作情報は、ボタン電話機２Ａの操作入力部２３により検出され（ステップＳ２０２）、子機制御部２４から伝送Ｉ／Ｆ部２１、内線伝送路２０、内線Ｉ／Ｆ部１２を介して主装置１の主制御部１３に送信される（ステップＳ２０３）。保留操作情報を受信すると、主制御部１３の機能処理手段１３ａは、ボタン電話機２Ａが相手先３０との通話に使用してた外線を保留にする（ステップＳ２０４）。
【００１９】
保留ボタンを押下すると、ボタン電話機２Ａのユーザは、内線呼び出しを行うための操作を行う。このような内線呼び出し操作としては、テンキーによる内線番号の押下など、内線通話を行うボタン電話機を特定するための操作入力が行われる。このような内線呼び出し操作に関する内線呼び出し情報は、ボタン電話機２Ａの操作入力部２３により検出され（ステップＳ２０５）、主装置１に送信される（ステップＳ２０６）。ここで、ボタン電話機２Ａのユーザは、ボタン電話機２Ｂを呼び出す旨の内線呼び出し操作を行ったものとする。
【００２０】
内線呼び出し情報を受信すると、主制御部１３の機能処理手段１３ａは、ボタン電話機２Ｂに対して内線呼び出しを行う（ステップＳ２０７）。この内線呼び出しは、ボタン電話機２ＢのスピーカＳＰからブザー音を鳴動させたり、画面表示部２６に内線呼び出しが行われている旨の表示をさせたりすることにより行われる。
【００２１】
内線呼び出しに応答する場合、ユーザは、ボタン電話機２Ｂの応答ボタンを押下する。この応答ボタンが押下されたことに関する内線応答情報は、ボタン電話機２Ｂの操作入力部２３により検出され（ステップＳ２０８）、主装置１に送信される（ステップＳ２０９）。
【００２２】
内線応答情報を受信すると、主制御部１３の機能処理手段１３ａは、内線Ｉ／Ｆ部１２を制御して、内線伝送路２０を介してボタン電話機２Ａとボタン電話機２Ｂとの通話パスを接続する。これにより、ボタン電話機２Ａとボタン電話機２Ｂとの間の内線通話が実現される（ステップＳ２１０）。ここで、ボタン電話機２Ｂで単に応答ボタンが押下された場合、ボタン電話機２Ｂでは、スピーカＳＰとマイクＭＩＣを用いたハンズフリー通話により内線通話が行われる。このようなハンズフリー通話を行うことにより、例えば実験室など１台のボタン電話機を複数のユーザが使用する場合、各ユーザは、誰宛の内線通話であるかを容易に識別することができる。なお、ハンドセットＨＳをオフフックにした後、応答ボタンを押下した場合、または、応答ボタンを押下した後、ハンドセットＨＳをオフフックにした場合、ボタン電話機２Ｂでは、ハンドセットＨＳを用いた内線通話が行われる。
【００２３】
また、内線応答情報を受信すると、主制御部１３の録音手段１３ｂは、ボタン電話機２Ａとボタン電話機２Ｂとの間の内線通話の録音を開始する（ステップＳ２１１）。この録音データは、ボタン電話機２Ａが保留とした相手先３０との通話に用いた外線と対応付けて、主記憶部１３に記憶される。
【００２４】
通常、保留転送を行うために内線通話が行われると、ボタン電話機２Ａのユーザは、ボタン電話機２Ｂのユーザが相手先３０と通話を行うよう、相手先３０の名前、相手先３０を保留にしていること、保留外線の識別番号など保留応答に必要な情報をボタン電話機２Ｂのユーザに伝える。本実施の形態では、録音手段１３ｂは、保留操作後の内線通話の通話内容を録音するので、上述したような保留応答に必要な情報が録音されることとなる。
【００２５】
保留応答に必要な情報をボタン電話機２Ｂのユーザに伝え終わると、ボタン電話機２Ａのユーザは、内線通話を終了するため、ハンドセットＨＳをオンフックにする。このオンフックに関するオンフック情報は、ボタン電話機２Ａの操作入力部２３により検出され（ステップＳ２１２）、主装置１に送信される（ステップＳ２１３）。すると、主装置１の機能処理手段１３ａは、ボタン電話機２Ａとボタン電話機２Ｂとの通話パスを解放し、内線通話を終了させる。内線通話終了後のボタン電話機２Ａとボタン電話機２Ｂは、アイドル状態となる。
【００２６】
また、保留操作を行ったボタン電話機２Ａからオンフック情報を受信すると、主装置１の録音手段１３ｂは、ボタン電話機２Ａとボタン電話機２Ｂとの内線通話の録音を停止する（ステップＳ２１４）。
【００２７】
内線通話が終了すると、ボタン電話機２Ｂのユーザは、保留外線に応答するために外線ボタンを押下しようとするが、このとき、複数の外線ボタンが保留状態を示している場合、何れの外線に応答すべきかがわからなくなることがある。このような場合、ボタン電話機２Ｂのユーザは、何れかの外線ボタンを押下する。この外線ボタンが押下されたことに関する外線押下情報は、ボタン電話機２Ｂの操作入力部２３により検出され（ステップＳ２１５）、主装置１の主制御部１３に送信される（ステップＳ２１６）。外線押下情報を受信すると、主制御部１３の再生手段１３ｃは、押下された外線ボタンと対応付けて主記憶部１４に記憶された録音データを再生し、この音声データをボタン電話機２Ｂに出力する（ステップＳ２１７）。これにより、上述したような保留応答に必要な情報が再生されるので、ボタン電話機２Ｂのユーザは、押下した外線ボタンに対応する保留外線が、応答すべき保留外線であるか否かを確認することができる。
【００２８】
押下した外線ボタンに対応する保留外線が、応答すべき保留外線であった場合、ボタン電話機２Ｂのユーザは、ハンドセットＨＳをオフフックにする。このオフフックに関するオフフック情報は、ボタン電話機２Ｂの操作入力部２３により検出され（ステップＳ２１８）、主装置１に送信される（ステップＳ２１９）。すると、主装置１の機能処理手段１３ａは、ボタン電話機２Ｂで押下された外線ボタンに対応する保留外線とボタン電話機２Ｂとの通話パスを接続する。これにより、相手先３０とボタン電話機２Ｂとの通話が実現される（ステップＳ２２０）。
【００２９】
相手先３０との通話を終了する場合、ボタン電話機２Ｂのユーザは、ハンドセットＨＳをオンフックにする。このオンフックに関するオンフック情報は、ボタン電話機２Ｂの操作入力部２３により検出され（ステップＳ２２１）、主装置１に送信される（ステップＳ２２２）。すると、主装置１の機能処理手段１３ａは、相手先３０とボタン電話機２Ｂとの通話パスを解放し、内線通話を終了させる。また、消去手段１３ｄは、相手先３０との通話に用いていた外線に対応付けて録音された録音データを主記憶部１４から消去する（ステップＳ２２３）。これにより、現在保留中の録音データではない過去の録音データが再生されることを防ぐことができる。
【００３０】
このように、本実施の形態によれば、保留操作の後に内線通話が行われると、この内線通話が録音されるので、この録音データに基づいて応答すべき保留外線を確認することができる。
【００３１】
次に、図３を参照して、本実施の形態にかかるボタン電話システムで音声による内線呼び出し（以下、「音声呼び出し」と呼ぶ。）を行う場合の録音動作について説明する。なお、図３に示す音声呼び出しを行う場合の録音動作は、図２に示した内線通話を行う場合とステップＳ２０７〜Ｓ２１４が異なるものであり、その他は同一である。したがって、図３において、図２と同等のステップについては同じ符号を付し、適宜説明を省略する。
【００３２】
相手先３０との通話の保留後、ボタン電話機２Ａのユーザによりボタン電話機２Ｂを呼び出す旨の内線呼び出し操作が行われると、主制御部１３の機能処理手段１３ａは、ボタン電話機２Ｂに対して音声呼び出しを行う（ステップＳ３０１）。この音声呼び出しとは、ボタン電話機２ＢのスピーカＳＰからブザー音を所定時間鳴動させ、このブザー音の鳴動の終了後、ボタン電話機２Ａのハンドセットが収音した音声をボタン電話機２ＢのスピーカＳＰから出力させるものである。なお、音声呼び出しが行われている間、画面表示部２６には内線呼び出しが行われている旨の表示をさせるようにしてもよい。
【００３３】
音声呼び出しが行われると、主制御部１３の録音手段１３ｂは、ボタン電話機２Ａとボタン電話機２Ｂとの間の内線通話の録音を開始する（ステップＳ３０２）。この録音データは、ボタン電話機２Ａが保留とした相手先３０との通話に用いた外線と対応付けて、主記憶部１３に記憶される。
【００３４】
通常、保留転送を行うために音声呼び出しが行われると、ボタン電話機２Ａのユーザは、ボタン電話機２Ｂのユーザが相手先３０と通話を行うよう、相手先３０の名前、相手先３０を保留にしていること、保留外線の識別番号など保留応答に必要な情報をボタン電話機２Ｂのユーザに伝える。本実施の形態では、録音手段１３ｂは、音声呼び出しの通話内容を録音するので、上述したような保留応答に必要な情報が録音されることとなる。
なお、録音手段１３ｂは、少なくともボタン電話機２Ａにより収音された音声がボタン電話機２のスピーカＳＰから出力される前から録音を開始する。これにより、ボタン電話機２Ａのユーザが発した音声を最初から録音することができる。
【００３５】
音声呼び出しに応答する場合、ユーザは、ボタン電話機２Ｂの応答ボタンを押下する。この応答ボタンが押下されたことに関する内線応答情報は、ボタン電話機２Ｂの操作入力部２３により検出され（ステップＳ３０３）、主装置１に送信される（ステップＳ３０４）。
【００３６】
内線応答情報を受信すると、主制御部１３の機能処理手段１３ａは、内線Ｉ／Ｆ部１２を制御して、内線伝送路２０を介してボタン電話機２Ａとボタン電話機２Ｂとの通話パスを接続する。これにより、ボタン電話機２Ａとボタン電話機２Ｂとの間の内線通話が実現される（ステップＳ３０５）。
【００３７】
保留応答に必要な情報をボタン電話機２Ｂのユーザに伝え終わると、ボタン電話機２Ａのユーザは、内線通話を終了するため、ハンドセットＨＳをオンフックにする。このオンフックに関するオンフック情報は、ボタン電話機２Ａの操作入力部２３により検出され（ステップＳ３０６）、主装置１に送信される（ステップＳ３０７）。すると、主装置１の機能処理手段１３ａは、ボタン電話機２Ａとボタン電話機２Ｂとの通話パスを解放し、内線通話を終了させる。内線通話終了後のボタン電話機２Ａとボタン電話機２Ｂは、アイドル状態となる。
【００３８】
また、保留操作を行ったボタン電話機２Ａからオンフック情報を受信すると、主装置１の録音手段１３ｂは、ボタン電話機２Ａとボタン電話機２Ｂとの音声呼び出しおよび内線通話の録音を停止する（ステップＳ３０８）。
【００３９】
このように、保留操作の後に音声呼び出しが行われた場合であっても、音声呼び出しの内容が録音されるので、この録音データに基づいて応答すべき保留外線を確認することができる。
【００４０】
なお、図３に示すステップＳ３０３〜３０５は、行われなくてもよい。この場合、音声呼び出しが行われ、ボタン電話機２ＡのハンドセットＨＳがオンフックにされると、主装置１の録音手段１３ｂは、ボタン電話機２Ａによる音声呼び出しの録音を停止する。このようにしても、主記憶部１３には、ボタン電話機２Ａのユーザによる音声呼び出しの内容が録音されるので、ボタン電話機２Ｂのユーザは、その録音データに基づいて応答すべき保留外線を確認することができる。
【００４１】
また、本実施の形態において、上記ステップＳ２１５で外線ボタンが押下された後、他の外線ボタンが押下されると、この押下された外線ボタンに対応付けて主記憶部１４に記憶された録音データが再生されるようにしてもよい。これにより、押下した外線ボタンに対応付けられた保留外線が、保留応答すべき保留外線ではない場合、ユーザは、他の外線ボタンを押下して、何れの外線ボタンに対応付けられた保留外線が保留応答すべき保留外線かを識別することができる。
【００４２】
また、本実施の形態では、外線ボタンを押下することにより録音データが再生されるようにしたが、操作入力部２３に録音データを再生するための再生ボタンをさらに設け、録音ボタンの押下後、任意の外線ボタンを押下することにより、押下された外線ボタンと対応付けて主記憶部１４に記憶された録音データを再生するようにしてもよい。
【００４３】
また、本実施の形態において、録音手段１３ｂは、内線通話が終了すると内線通話の録音を停止するようにしたが、内線通話の開始時刻から所定時間経過後に内線通話の録音を停止するようにしてもよい。保留応答に必要な情報は、内線通話の初めの段階で話される場合が多い。このため、内線通話の初めの部分のみを録音するようにしても、この録音データから何れの外線ボタンに対応付けられた保留外線が保留応答すべき保留外線かを識別することができる。ここで、上記所定時間は適宜自由に設定することができる。
【産業上の利用可能性】
【００４４】
本発明は、複数のボタン電話機を有する電話システムや複数の子機を有する親子電話機などに適用することができる。
【図面の簡単な説明】
【００４５】
【図１】本発明の電話システムの構成を示すブロック図である。
【図２】本発明の電話システムの内線通話による録音動作を示すタイミングチャートである。
【図３】本発明の電話システムの音声呼び出しによる録音動作を示すタイミングチャートである。
【符号の説明】
【００４６】
１…主装置、２，２Ａ，２Ｂ，２Ｎ…ボタン電話機、１０…電話網、１１…外線Ｉ／Ｆ部、１２…内線Ｉ／Ｆ部、１３…主制御部、１３ａ…機能処理手段、１３ｂ…録音手段、１３ｃ…再生手段、１３ｄ…消去手段、１４…主記憶部、２０…内線伝送路、２１…伝送Ｉ／Ｆ部、２２…音声処理部、２３…操作入力部、２４…子機制御部、２５…制御メモリ、２６…画面表示部、３０…相手先、ＨＳ…ハンドセット、ＭＩＣ…マイク、ＳＰ…スピーカ。
【図１】
0004466527.tif 000002
【図２】
0004466527.tif 000003
【図３】
0004466527.tif 000004